(57)【要約】【課題】地震時等において役物タイルのコーナー部付近に生じる応力を小さくすることができる出隅構造と、そのための出隅部材とを提供する。【解決手段】出隅に柱３０が立設され、透湿防水紙３２が張りめぐらされ、縦胴縁３４，３５が柱３０に釘打ち固定され、この縦胴縁３４，３５に下地板３８，３９が釘によって固定されている。出隅には、Ｌ字形の役物タイル４０が取付施工され、この役物タイル４０に隣接して平物のタイル４２が取付施工されている。役物タイル４０は、その裏側の出隅部材１０に接着されている。【選択図】図２
2009287284.tif 000002
【特許請求の範囲】
【請求項１】
第１の壁面と第２の壁面とが凸角状に交わる建物の出隅構造であって、
第１の壁面に設けられた第１の下地板と、
第２の壁面に設けられた第２の下地板と、
出隅の凸角部を回り込んでいるＬ字形の役物タイルと、
該役物タイルの裏側に設けられた出隅部材と
を有する建物の出隅構造において、
該出隅部材は、該下地板よりも壁面方向に変形し易いものとなっていることを特徴とする出隅構造。
【請求項２】
請求項１において、該出隅部材に役物タイルの凸角部の両側部分がそれぞれ接着されていることを特徴とする出隅構造。
【請求項３】
請求項１又は２において、該出隅部材は、
第１の下地板の裏側に配置された第１の裏片と、
第２の下地板の裏側に配置された第２の裏片と、
該第１の裏片から第１の下地板の端面に対面して前方へ起立した第１の起立片と、
該第２の裏片から第２の下地板の端面に対面して前方へ起立した第２の起立片と、
該第１の起立片の前端から出隅の凸角部側へ張り出した第１の表片と、
該第２の起立片の前端から出隅の凸角部側へ張り出した第２の表片と
を有していることを特徴とする出隅構造。
【請求項４】
請求項３において、前記出隅部材の第１の表片と第２の表片とは、各々に斜交する斜片を介して連なっていることを特徴とする出隅構造。
【請求項５】
第１の壁面と第２の壁面とが凸角状に交わる建物の出隅に設置される出隅部材において、
第１の壁面に配置される第１の裏片と、
第２の壁面に配置される第２の裏片と、
該第１の裏片の第２の裏片に近い辺縁から前面側に起立する第１の起立片と、
該第２の裏片の第１の裏片に近い辺縁から前面側に起立する第２の起立片と、
第１の起立片の前端から出隅の凸角部側へ張り出す第１の表片と、
第２の起立片に前端から出隅の凸角部側へ張り出す第２の表片と
を有することを特徴とする出隅部材。
【請求項６】
請求項５において、第１の表片と第２の表片とが、各々に斜交する斜片を介して連なっていることを特徴とする出隅部材。
【発明の詳細な説明】
【技術分野】
【０００１】
本発明は出隅構造に係り、特に出隅にＬ字形の役物タイルが配置され、この役物タイルの裏側に出隅部材が設けられた出隅構造に関する。また、本発明は、この出隅構造に用いられる出隅部材に関するものである。
【背景技術】
【０００２】
従来の出隅部材及び出隅構造の一例として、特開２００１−４０８５６に記載のものがある。
【０００３】
第３図（ａ）は、同号公報の図２の出隅構造を示す水平断面図、第３図（ｂ）は出隅部材（コーナー用ジョイナ）の斜視図である。
【０００４】
出隅に柱３０が立設され、透湿防水紙３２が張りめぐらされ、縦胴縁３４，３５が柱３０に釘打ち固定され、この縦胴縁３４，３５に下地板３８，３９が釘３６によって固定されている。
【０００５】
この出隅には、Ｌ字形の役物タイル４０が取付施工され、この役物タイル４０に隣接して平物のタイル４２が取付施工されている。この役物タイル４０及び平物タイル４２は、各々の裏面に設けられたアリ溝が下地板３８，３９の凸部に掛止され、且つ変成シリコン系などの接着剤で固定されている。
【０００６】
役物タイル４０の裏側においては、下地板３８，３９の端面同士の間に介在するようにコーナー用ジョイナ（出隅部材）５０が設けられている。
【０００７】
このジョイナ５０はフロント側のＬ形片５２とバック側のＬ形片５４と、これらのＬ形片５２，５４同士をつなぐ連結片５６とを有している。図示の通り、連結片５６はＬ形片５２の隅角部とＬ形片５４の突角部とをつなぐように設けられている。このジョイナ５０は例えば合成樹脂や金属などにより形成されている。
【０００８】
コーナー用ジョイナ５０のバック側のＬ形片５４を縦胴縁３４，３５に重ね合わせ、該バック側Ｌ形片５４とフロント側Ｌ形片５２との間に下地板３８，３９の端部が差し込まれる。そして、各下地板３８，３９を釘３６によって柱３０に固定することにより、併せてジョイナ５０も柱３０に固定される。フロント側Ｌ形片５２は下地板３８，３９の前面に重ね合わされる。このフロント側Ｌ形片５２の厚みは０．５〜２．０ｍｍ程度と薄いものになっている。
【０００９】
上記の役物タイル４０としては、第４図の通り、平たいタイルの端面を４５°にカットしたタイル片４０ａ，４０ｂ同士を接着剤４０ｃで接着してＬ字形としたものが多く用いられている。接着剤４０ｃの一部は、符号４０ｄのように、裏側にはみ出すことがある。
【００１０】
なお、第３図では長い方のタイル片４０ａを図の上下方向に配置し、短い方のタイル片４０ｂを図の左右方向に配置しているが、長い方のタイル片４０ａの配置が上下に隣り合う役物タイル４０同士で逆になるように１段毎に向きを変えて配設されている。
【００１１】
＜別の従来例＞
同号公報の従来技術の欄には、コーナー用ジョイナを用いることなくタイルを施工した出隅構造として第７図に示すものも記載されている（同号公報０００４〜０００７段落及び図７）。第７図の出隅は、第３図の出隅においてコーナー用ジョイナ５０を省略し、代わりに下地板３８，３９の端面同士の間にシーリング材５９を充填したものである。
【００１２】
この第７図の出隅にあっては、上下に隣接するタイル４０同士の間の目地（横目地）を通してシーリング材５９が見えると共に、このシーリング材５９の前面の空隙が目立ち、美感に劣る。また、このシーリング材５９をかなり多量に付着させる必要があるところから施工に手間がかかる。第３図の出隅では、このような問題点が解決されている。
【特許文献１】特開２００１−４０８５６号公報
【発明の開示】
【発明が解決しようとする課題】
【００１３】
上記第３図（ａ）の役物タイルを出隅に設けた建物が地震等によって層間変位した場合、役物タイルのコーナー部に応力が集中することがある。
【００１４】
この理由について第５図を参照して説明する。第５図は柱３０間に設けられた下地板３８，３９の地震時の動きを示す模式的な正面図である。
【００１５】
地震時には、第５図のＡ付近では下地板３８，３９の端辺とコーナー用ジョイナ５０との距離が拡大するような動きが生じ、役物タイル４０に第３図（ａ）のＦ方向の力が加えられる。逆に、第５図のＢ付近では役物タイルにＦ方向と反対方向の力が加えられる。役物タイル４０にこのような外力Ｆが加えられた場合、短手側のタイル片４０ｂのＦ方向への移動が下地板３９及びコーナー用ジョイナ５０によって拘束されるため、役物タイル４０の凸角部付近に大きな曲げ又は剪断応力が生じ、役物タイル４０が割れるおそれがある。
【００１６】
特に、第３図のコーナー用ジョイナ（出隅部材）５０は、連結片５６が役物タイル４０の裏面コーナー部に４５°の角度で当っているので、役物タイルの矢印Ｆ方向への移動を拘束し、役物タイル４０の凸角部付近に生じる応力が大きなものとなる。
【００１７】
なお、第３図のコーナー用ジョイナ５０にあっては、フロント側の片５２とバック側の片５４との間に下地板３８又は３９が差し込まれるので、片５２，５４間の間隔が下地板３８，３９の厚みと同一か又はわずかに大きいものであることが必要である。下地板３８，３９の厚みが片５２，５４間の間隔よりも大きいと、下地板３８，３９を片５２，５４間に差し込むことができなくなってしまう。
【００１８】
また、第３図のコーナー用ジョイナ５０にあっては、フロント側の片５２，５２が下地板３８，３９の前面に重なるため、不陸となり、タイル４０を張り付けにくい。
【００１９】
本発明は上記従来の問題点を解決し、地震時等において役物タイルのコーナー部付近に生じる応力を小さくすることができる出隅構造と、そのための出隅部材とを提供することを目的とする。
【課題を解決するための手段】
【００２０】
本発明（請求項１）の出隅構造は、第１の壁面と第２の壁面とが凸角状に交わる建物の出隅構造であって、第１の壁面に設けられた第１の下地板と、第２の壁面に設けられた第２の下地板と、出隅の凸角部を回り込んでいるＬ字形の役物タイルと、該役物タイルの裏側に設けられた出隅部材とを有する建物の出隅構造において、該出隅部材は、該下地板よりも壁面方向に変形し易いものとなっていることを特徴とするものである。
【００２１】
請求項２の出隅構造は、請求項１において、該出隅部材に役物タイルの凸角部の両側部分がそれぞれ接着されていることを特徴とするものである。
【００２２】
請求項３の出隅構造は、請求項１又は２において、該出隅部材は、第１の下地板の裏側に配置された第１の裏片と、第２の下地板の裏側に配置された第２の裏片と、該第１の裏片から第１の下地板の端面に対面して前方へ起立した第１の起立片と、該第２の裏片から第２の下地板の端面に対面して前方へ起立した第２の起立片と、該第１の起立片の前端から出隅の凸角部側へ張り出した第１の表片と、該第２の起立片の前端から出隅の凸角部側へ張り出した第２の表片とを有していることを特徴とするものである。
【００２３】
請求項４の出隅構造は、請求項３において、前記出隅部材の第１の表片と第２の表片とは、各々に斜交する斜片を介して連なっていることを特徴とするものである。
【００２４】
本発明（請求項５）の出隅部材は、第１の壁面と第２の壁面とが凸角状に交わる建物の出隅に設置される出隅部材において、第１の壁面に配置される第１の裏片と、第２の壁面に配置される第２の裏片と、該第１の裏片の第２の裏片に近い辺縁から前面側に起立する第１の起立片と、該第２の裏片の第１の裏片に近い辺縁から前面側に起立する第２の起立片と、第１の起立片の前端から出隅の凸角部側へ張り出す第１の表片と、第２の起立片に前端から出隅の凸角部側へ張り出す第２の表片とを有することを特徴とするものである。
【００２５】
請求項６の出隅部材は、請求項５において、第１の表片と第２の表片とが、各々に斜交する斜片を介して連なっていることを特徴とするものである。
【発明の効果】
【００２６】
本発明の出隅構造では、出隅部材が下地板よりも壁面方向に変形し易いので、地震等によって層間変位が生じた場合に役物タイルの凸角部付近に生じる応力が小さいものとなり、役物タイルの割れが防止される。
【００２７】
請求項２にあっては、出隅部材の役物タイルの凸角部の両側部分がそれぞれ出隅部材に接着されているので、仮に役物タイルの凸角部付近に割れが生じても、割れた片が落下することがない。
【００２８】
請求項３の出隅構造及び請求項５の出隅部材は、その出隅凸角部付近が壁面方向に変形し易い。
【００２９】
請求項４の出隅構造及び請求項６の出隅部材にあっては、前記第４図のように、役物タイルの裏側に接着剤のはみ出した部分４０ｄが存在していても、このはみ出した接着剤４０ｄが出隅部材に当たることがない。
【発明を実施するための最良の形態】
【００３０】
以下、図面を参照して実施の形態について説明する。
【００３１】
第１図（ａ）は実施の形態に係る出隅部材の斜視図、第１図（ｂ）は出隅部材の平面図、第２図は実施の形態に係る出隅構造の水平断面図である。
【００３２】
前記第３図（ａ）と同様に、出隅に柱３０が立設され、透湿防水紙３２が張りめぐらされ、縦胴縁３４，３５が柱３０に釘打ち固定され、この縦胴縁３４，３５に下地板３８，３９が釘（第２図では図示略）によって固定されている。
【００３３】
この出隅には、Ｌ字形の役物タイル４０が取付施工され、この役物タイル４０に隣接して平物のタイル４２が取付施工されている。この役物タイル４０及び平物タイル４２は、各々の裏面に設けられたアリ溝が下地板３８，３９の凸条に掛止され、且つ接着剤で固定されている。これらのアリ溝及び凸条は水平方向に延在している。
【００３４】
この役物タイルは、前記第４図に示した通り、一方の端面を４５°にカットしたタイル片４０ａ，４０ｂ同士を接着剤４０ｃで接着したものである。
【００３５】
この役物タイル４０の裏側に出隅部材１０が設けられている。
【００３６】
この出隅部材１０は、下地板３８の裏側に配置された第１の裏片１２と、下地板３９の裏側に配置された第２の裏片１４と、第１の裏片１２から下地板３８の端面に沿って前方へ起立した第１の起立片１６と、第２の裏片１４から下地板３９の端面に沿って前方へ起立した第２の起立片１８と、第１の起立片１６の前端から出隅の凸角部側へ張り出した第１の表片２０と、第２の起立片１８の前端から出隅の凸角部側へ張り出した第２の表片２２と、第１の表片２０と第２の表片２２とを繋いでいる斜片２４を有している。この実施の形態では、斜片２４は、各表片２０，２２に対し約４５°の角度で斜交している。
【００３７】
この出隅部材１０は、好ましくは厚さが０．１〜１ｍｍ特に０．２７〜０．３５ｍｍ程度の鋼板よりなる。
【００３８】
この出隅部材１０を設置するには、その裏片１２，１４を縦胴縁３４，３５の前面に重ね合わせ、必要に応じて釘留めする。次いで裏片１２，１４の上側に下地板３８，３９を重ね、釘打ちする。この釘は、縦胴縁３４，３５を貫いて柱３０にまで打ち込む。
【００３９】
起立片１６，１８と下地板３８，３９の端面との間には若干の空隙が形成されており、この空隙にシーリング材２６が充填されている。なお、図示は省略するが、シーリング材２６の裏側には片ハットジョイナーと称されるスペーサ材が配置されている。下地板３８，３９は各々の端面を片ハットジョイナーに当接させるようにして取付施工される。
【００４０】
その後、役物タイル４０を出隅に配置すると共に、役物タイル４０の左右にそれぞれ平物のタイル４２を配設する。図示は省略するが、役物タイル４０及び平物タイル４２の裏側には、水平方向に延在した周知のアリ溝が設けられ、下地板３８，３９の前面には水平方向に延設されたタイル係止用凸条が設けられている。このアリ溝を該タイル係止用凸条に係止すると共に、シリコン系などの弾性接着剤によって固定する。役物タイル４０のタイル片４０ａ，４０ｂの裏面のいずれもが接着剤によって出隅部材１０の表片２０，２２に接着される。長手側のタイル片４０ａは下地板３８にも接着される。タイル片４０ｂは、その先端のみが下地板３９に重なっている。
【００４１】
このように構成された出隅構造にあっては、地震等によって壁面に沿う方向の外力が加えられても、役物タイル４０の凸角部付近に生じる応力が小さいものとなり、従来例に比べて役物タイル４０が割れにくいものとなる。
【００４２】
この理由について第６図（ａ），（ｂ）を参照して説明する。
【００４３】
この実施の形態では、役物タイル４０の裏側には、下地板３８，３９よりも柔軟に変形する出隅部材１０が配置されている。
【００４４】
そのため、役物タイル４０に第６図（ａ）のＦ方向に外力が加えられたときに、タイル片４０ａ，４０ｂの交差角度θが拡大又は縮小する方向に弾性的に若干変形するので、役物タイル４０の割れが防止（抑制）される。
【００４５】
これに対し、第６図（ｂ）のように、役物タイル４０の凸角部の裏側に比較的剛性の高い出隅部材（コーナー用ジョイナ）５０が配置されている従来例にあっては、矢印Ｆ方向に外力が加えられると、この外力が役物タイル４０の凸角部付近に集中し、役物タイル４０の凸角部付近に大きな応力が生じることになり、役物タイル４０が割れるおそれがある。
【００４６】
なお、この実施の形態では、上記角度θを拡縮させる方向の弾性変形を十分に許容するために、第１の表片２０から第２の起立片１８までの距離（又は第２の表片２２から第１の起立片１６までの距離）ａは１０ｍｍ以上存在することが好ましく、特に１０〜５０ｍｍ程度とりわけ１５〜３５ｍｍ程度であることが好ましい。
【００４７】
出隅部材１０のその他の部分、ｂ（第２の表片２２の幅又は第１の表片２０の幅）、ｃ（第２の起立片１８の幅又は第１の起立片１６の幅）、ｄ（第２の裏片１４の幅又は第１の裏片１２の幅）の好ましい寸法は次の通りである。
ａとｂとの差（ａ−ｂ）：１〜１０ｍｍ特に３〜５ｍｍ
ｃ：下地板の厚み以下
ｄ：１０ｍｍ以上特に３０〜７０ｍｍ
【００４８】
出隅部材１０は出隅に沿って上下方向に延設されることが好ましく、その長さは７ｍ以下特に１．５〜３．５ｍ程度が取り扱い易く、好ましい。
【００４９】
上記実施の形態では、裏片１２，１４同士の幅は同一となっているが、異なっていてもよい。ただし、同一であることが好ましい。
【００５０】
また、同様に、起立片１６，１８同士の幅も同一でも異なっていてもよいが、同一であることが好ましい。
【００５１】
表片２０，２２同士の幅も同一でも異なっていてもよいが、同一であることが好ましい。
【００５２】
また、この実施の形態では、各タイル片４０ａ，４０ｂの裏面がいずれも接着剤によって出隅部材１０に接着されているので、仮に役物タイル４０の凸角部に割れが生じたとしても、割れた片が落下することがない。
【００５３】
この実施の形態では、出隅部材１０の凸角部に斜片２４が設けられているので、役物タイル４０の裏側に接着剤のはみ出し部４０ｄが存在していても、この接着剤はみ出し部４０ｄが出隅部材１０の凸角部に当たることがなく、役物タイル４０の裏面を出隅部材１０の前面の全体に押し当てるように取り付けることができる。
【００５４】
なお、斜片２４は平板状に限らず、湾曲していてもよく、Ｌ字形に凹んでいてもよい。
【００５５】
上記実施の形態では、短手側のタイル片４０ｂの先端が下地板３９に重なっているが、第８図に示す役物タイル４０Ａを用いた実施の形態の通り、タイル片４０ｂの先端が下地板３９に達していなくてもよい。このようにすれば、地震等によって壁面に沿う方向の外力が加えられても、役物タイル４０Ａの凸角部付近に生じる応力がきわめて小さいものとなり、役物タイル４０Ａの割れが防止される。なお、第８図のその他の構成は第２図と同一であり、同一符号は同一部分を示している。
【図面の簡単な説明】
【００５６】
【図１】（ａ）図は実施の形態に係る出隅部材の斜視図、（ｂ）図は出隅部材の平面図である。
【図２】実施の形態に係る出隅構造の水平断面図である。
【図３】（ａ）図は従来例に係る出隅構造を示す水平断面図、（ｂ）図はその出隅部材の斜視図である。
【図４】役物タイルの説明図である。
【図５】地震時の下地板の動きを示す説明図である。
【図６】役物タイルにおける応力の発生状況の説明図である。
【図７】別の従来例を示す水平断面図である。
【図８】別の実施の形態を示す水平断面図である。
【符号の説明】
【００５７】
１０  出隅部材
１２，１４  裏片
１６，１８  起立片
２０，２２  表片
２４  斜片
２６  シーリング材
３０  柱
３２  透湿防水紙
３４，３５  縦胴縁
３６  釘
３８，３９  下地板
４０，４０Ａ  役物タイル
５０  コーナー用ジョイナ（出隅部材）
【図１】
2009287284.tif 000003
【図２】
2009287284.tif 000004
【図３】
2009287284.tif 000005
【図４】
2009287284.tif 000006
【図５】
2009287284.tif 000007
【図６】
2009287284.tif 000008
【図７】
2009287284.tif 000009
【図８】
2009287284.tif 000010